(57)【要約】【課題】発光ダイオードのカバー体を備える発光ダイオード照明器具において、発光ダイオードからの光を拡散して出射するタイプと拡散せずに出射するタイプのいずれにもカバー体を容易に共用できるようにする。【解決手段】樹脂成型品からなるカバー体７は、上面７ａが平滑面に形成され発光ダイオード６に対向する下面７ｂが細かい凹凸のある粗面７ｃに形成される。粗面７ｃの上にはカバー体７と屈折率が略同一の樹脂材料によって光透過層７ｄが形成される。光透過層７ｄは、カバー体７の製造過程において、上下が逆に載置されたカバー体７に対して樹脂を滴下することによって形成される。従って、発光ダイオード６から出射された光は、カバー体７を拡散せずにほぼ直線的に通過する。光透過層７ｄを形成しないカバー体７をそのまま用いることによって、発光ダイオード６からの光が粗面７ｃによって拡散されるので、拡散タイプの照明器具に共用することができる。【選択図】図３
2009129785.tif 000002
【特許請求の範囲】
【請求項１】
基板と、前記基板に取付けられた発光ダイオードと、前記発光ダイオードを挟んで前記基板と反対側に設けられたカバー体と、を備える発光ダイオード照明器具において、
前記カバー体は、前記発光ダイオードに対向する面が粗面に形成され、かつ、その粗面を覆って平滑化する、前記カバー体と屈折率が略同一である材料による光透過層が形成されていることを特徴とする発光ダイオード照明器具。
【請求項２】
前記光透過層が、前記基板と前記カバー体とで挟まれた空間に充填された前記カバー体と屈折率が略同一である材料によって形成されていることを特徴とする請求項１に記載の発光ダイオード照明器具。
【発明の詳細な説明】
【技術分野】
【０００１】
本発明は、発光ダイオードの保護用のカバー体を備える発光ダイオード照明器具に関する。
【背景技術】
【０００２】
発光ダイオードは、１つ当たりの発光出力が小さいので、照明器具を構成するためには通常、基板上に多数の発光ダイオードが集合的に設けられ、それら多数の発光ダイオードに水や塵埃等が接触しないように発光ダイオードを覆うカバー体が設けられる（例えば、特許文献１参照）。
【０００３】
特許文献１に記載の集魚灯は、基板上に設けられた多数の発光ダイオードが防水ケース内に収納されており、さらに防水ケースの内壁又は外壁には粗面が形成されて、発光ダイオードから出射される光が拡散され、光束密度の均一化や照射範囲の拡大等が図られている。
【特許文献１】実用新案登録第３０９９７４１号公報
【発明の開示】
【発明が解決しようとする課題】
【０００４】
ところで、発光ダイオードを用いた照明器具においては、発光ダイオードの種類や照明器具の用途に応じて、上記集魚灯のように、発光ダイオードからの光が拡散されて外周へ出射し、比較的広い範囲を照明するようにカバー体に粗面が形成されたタイプと、発光ダイオードからの光が拡散されずにほぼ直線的に外周へ出射し、比較的狭い範囲を高い輝度で照明するようにカバー体の表面が平滑面に形成されたタイプとの２つがある。
【０００５】
例えば、前者のタイプの照明器具としては、上記集魚灯の他に、光色が赤色、緑色、青色の各発光ダイオードを備え、各発光ダイオードからの光がカバー体によって拡散されることによって混色され、離れた位置に居るユーザからは照明光が白色に見えるように構成したものがある。
【０００６】
また、後者のタイプの照明器具としては、発光ダイオードとしてフルカラー発光ダイオード（赤色、緑色、青色を発光するチップが単一のパッケージに収納されて白色を含む種々の光色を出射するように構成されたもの）を備え、発光ダイオード自体から出射される光を極力輝度が落ちないようにして外周を照明させるように構成したものがある。
【０００７】
上記のように両タイプの発光ダイオード照明器具は、用いる発光ダイオードの種類が異なるだけで、基板や基板の収納ケース等の部品の多くは容易に共用できる。ところが、カバー体は、その機能が正反対であるために、従来共用することが不可能であったことから、両タイプの発光ダイオード照明器具を製造するに際して、比較的大きな部品であるカバー体を別個に用意しなければならず、それだけコストが嵩む要因となっていた。
【０００８】
そこで、本発明は、発光ダイオードを挟んで基板と反対側にカバー体を備える発光ダイオード照明器具において、発光ダイオードからの光を拡散して出射するタイプと、発光ダイオードからの光を拡散せずに出射するタイプとで、カバー体を容易に共用することができ、低コスト化が図れる発光ダイオード照明器具を提供することを目的とする。
【課題を解決するための手段】
【０００９】
上記目的を達成するために、請求項１の発明は、基板と、前記基板に取付けられた発光ダイオードと、前記発光ダイオードを挟んで前記基板と反対側に設けられたカバー体と、を備える発光ダイオード照明器具において、前記カバー体は、前記発光ダイオードに対向する面が粗面に形成され、かつ、その粗面を覆って平滑化する、前記カバー体と屈折率が略同一である材料による光透過層が形成されていることを特徴とする。
【００１０】
請求項２の発明は、請求項１に記載の発光ダイオード照明器具において、前記光透過層が、前記基板と前記カバー体とで挟まれた空間に充填された前記カバー体と屈折率が略同一である材料によって形成されていることを特徴とする。
【発明の効果】
【００１１】
請求項１の発明によれば、カバー体の発光ダイオードに対向する面が粗面に形成され、かつ、その粗面を覆って平滑化する光透過層が形成されるので、発光ダイオードからの光を拡散して出射するタイプ及び拡散せずに出射するタイプのいずれの発光ダイオード照明器具にも、カバー体を容易に共用することができ、低コストとなる。
【００１２】
請求項２の発明によれば、発光ダイオードの基板とカバー体との間の空間に光透過層を形成する材料が充填されるので、発光ダイオード照明器具の防水機能、及び機械的強度を向上させることができる。
【発明を実施するための最良の形態】
【００１３】
（第１の実施形態）
以下、本発明の第１の実施形態に係る発光ダイオード照明器具について、図１乃至図４を参照して説明する。本実施形態の発光ダイオード照明器具１は、例えば、壁と床との接合部に沿って配置される細長形状の照明器具であって、図１に示されるように、壁面等への取付け板２と、取付け板２に固定される支持板３と、支持板３上に脚部材４（図２参照）を介して固定される細長い基板５と、基板５上に１列に並べて実装されたフルカラー発光ダイオード（以下、ＦＣＬＥＤという）６と、ＦＣＬＥＤ６に直接水が接触せず塵埃が付着しないようにＦＣＬＥＤ６の上方を覆うカバー体７と、を備える。
【００１４】
各ＦＣＬＥＤ６は、パッケージ内に赤色、緑色、青色の光を出力するチップが収納されて白色光を出射するものであり、基板５の裏面に取付けられた電源回路（不図示）と点灯回路（不図示）によって所定の明るさに点灯される。
【００１５】
カバー体７は、下向きに凹所を有するドーム状に形成された光透過性のアクリル樹脂からなる樹脂成型品であり、支持板３上に固定されることによって基板５とＦＣＬＥＤ６を囲繞する閉空間を形成する（図２参照）。カバー体７の上面７ａは、汚れが付着し難い平滑面に形成され、下面７ｂは、アクリル樹脂の表面が細かい凹凸を有する粗面７ｃに形成され、該粗面７ｃを覆うようにシリコン樹脂、又はエポキシ樹脂による薄い光透過層７ｄが形成されている（図３参照）。光透過層７ｄの表面は平滑面７ｅに形成されている。
【００１６】
カバー体７の製造手順を説明することによってカバー体７の下面７ｂの構造をさらに説明する。すなわち、カバー体７は、基材としてのアクリル樹脂成型品を、図４に示されるように上下を逆にした状態で載置した上、この状態で上を向いている粗面７ｃにシリコン樹脂、又はエポキシ樹脂７ｆを滴下し、シリコン樹脂、又はエポキシ樹脂７ｆが樹脂自体の重量と流動性によって粗面７ｃの上に均一に広がり、この広がった樹脂層（光透過層７ｄ）によって粗面７ｃの凹凸が覆われるようにして製造される。換言すると、カバー体７は、基材としてのアクリル樹脂の粗面７ｃを、シリコン樹脂、又はエポキシ樹脂７ｆによってポッティング処理されることによって製造される。
【００１７】
カバー体７の下面７ｂは、上記のようにして容易に平滑面７ｅに形成され（平滑化され）、シリコン樹脂、又はエポキシ樹脂７ｆの屈折率は、カバー体７の基材であるアクリル樹脂と略同一であるので、ＦＣＬＥＤ６から出射されてカバー体７に進入する光Ｌは、図３に示されるように、拡散されずほぼ直線的に進行して外周へと出射し、比較的高い輝度で対象物を照明する。
【００１８】
なお、カバー体７の基材としてのアクリル樹脂成型品に形成された粗面７ｃは、樹脂成型機の金型に細かい凹凸を付与することによって樹脂成型時に形成されるようにしてもよいし、樹脂成型機から取出した樹脂成型品にサンドブラスト処理等によって事後的に形成してもよい。
【００１９】
本実施形態の発光ダイオード照明器具１のカバー体７は、粗面７ｃを有するアクリル樹脂成型品に、略同一の屈折率の樹脂材料によってポッティング処理を行うだけで、発光ダイオードからの光をほぼ直線的に外周へ出射させるようになるので、発光ダイオードとしてＦＣＬＥＤ６を用い、比較的狭い範囲に高い輝度で照明を行うタイプの発光ダイオード照明器具１を容易に製造することができる。
【００２０】
また、本実施形態の発光ダイオード照明器具１のカバー体７は、樹脂材料によるポッティング処理を省略し、粗面７ｃを有するアクリル樹脂成型品をそのまま用いるだけで、発光ダイオードからの光を拡散して外周へ出射させることができるので、赤色、緑色、青色の光色を出射する３種類の発光ダイオードを用い、それらの発光ダイオードからの光を拡散して混色させるタイプの発光ダイオード照明器具（以下、光拡散タイプ発光ダイオード照明器具という）に適用して、当該タイプの発光ダイオード照明器具も容易に製造することができる。
【００２１】
光拡散タイプ発光ダイオード照明器具の構造について、図５乃至図７を参照して説明する。光拡散タイプ発光ダイオード照明器具１００は、発光ダイオード照明器具１と略同一の構造を有し、同一部分には同一番号を付す。具体的には、光拡散タイプ発光ダイオード照明器具１００は、図５、６に示されるように、壁面等への取付け板２と、取付け板２に固定される本体ケース３０と、本体ケース３０に収納される細長い基板５と、基板５上に１列に並べて実装された赤色、緑色、青色の各発光ダイオード６ｒ、６ｇ、６ｂと、各発光ダイオード６ｒ、６ｇ、６ｂの上方を覆うカバー体７０と、を備える。各発光ダイオード６ｒ、６ｇ、６ｂは、赤色、緑色、青色の順で繰り返し配置されている。
【００２２】
ここで用いられるカバー体７０は、粗面７ｃを有するアクリル樹脂成型品が、ポッティング処理を施されることなくそのまま用いられる。従って、カバー体７０の上面７０ａは平滑面であり、下面７０ｂは、細かい凹凸を有する粗面７０ｃである（図７参照）。発光ダイオード６ｒ、６ｇ、６ｂから出射された光は、図７に示されるように、粗面７０ｃによって拡散されて混色され、光拡散タイプ発光ダイオード照明器具１００から離れた位置のユーザからは白色に見える。
【００２３】
（第２の実施形態）
次に、本発明の第２の実施形態に係る発光ダイオード照明器具について、図８を参照して説明する。本実施形態の発光ダイオード照明器具１０は、カバー体７の構成を除いて、第１の実施形態の発光ダイオード照明器具１と同一の構成であり、同一部分には同一番号を付す。具体的には、本実施形態の発光ダイオード照明器具１０は、壁面等への取付け板２と、取付け板２に固定される支持板３と、支持板３に脚部材４を介して固定される細長い基板５と、基板５上に１列に並べて実装されたＦＣＬＥＤ６と、各ＦＣＬＥＤ６の上方を覆うカバー体７と、を備える。
【００２４】
本実施形態の発光ダイオード照明器具１０のカバー体７は、樹脂材料によるポッティング処理を施されておらず上面７ａが平滑面であり、下面７ｂが粗面７ｃのままのアクリル樹脂成型品である。そして、基板５とカバー体７とで挟まれた空間には、シリコン樹脂、又はエポキシ樹脂が厚く充填されて光透過層７ｇが形成されている。光透過層７ｇの厚みは、本実施形態では、基板５を越えてさらに下方にまで延びて形成されているが、少なくとも光透過層７ｇの下面がＦＣＬＥＤ６の発光面よりも下位であればよい。
【００２５】
本実施形態の発光ダイオード照明器具１０では、ＦＣＬＥＤ６から出射された光は、直接光透過層７ｇに進入し、光透過層７ｇとカバー体７の下面７ｂとの境界（粗面７ｃ）を通過してカバー体７を経てカバー体７の外周へ出射するが、シリコン樹脂、又はエポキシ樹脂は、カバー体７の下面７ｂとの間に隙間を有さずに充填されており、かつ、光透過層７ｇにおける屈折率とカバー体７における屈折率が略同一であるので、ＦＣＬＥＤ６から出射された光は、拡散されることなくほぼ直線的に出射する。
【００２６】
以上のように、本実施形態の発光ダイオード照明器具１０でも、粗面７ｃを有するアクリル樹脂成型品に、樹脂材料を充填して光透過層７ｇを形成するだけで、発光ダイオードからの光をほぼ直線的に外周へ出射させるようになるので、発光ダイオードとしてＦＣＬＥＤ６を用い、比較的狭い範囲に高い輝度で照明を行うタイプの発光ダイオード照明器具１０を容易に製造することができる。
【００２７】
また、本実施形態の発光ダイオード照明器具１０では、ＦＣＬＥＤ６の全体が樹脂層（光透過層７ｇ）の内部に鋳込まれたようになるので、ＦＣＬＥＤ６が水や塵埃に接触することがほぼ完全に防止されて高い防水機能を得ることができ、かつ高い機械的強度を得ることができる。
【図面の簡単な説明】
【００２８】
【図１】本発明の第１の実施形態に係る発光ダイオード照明器具の分解斜視図。
【図２】同発光ダイオード照明器具の一部切欠き側面図。
【図３】同発光ダイオード照明器具における発光ダイオードからの光がカバー体をほぼ直線的に通過して出射する態様を示す図。
【図４】同発光ダイオード照明器具におけるカバー体の製造手順を示す図。
【図５】同発光ダイオード照明器具のカバー体を共用部品として用いた光拡散タイプ発光ダイオード照明器具の分解斜視図。
【図６】同発光ダイオード照明器具のカバー体を共用部品として用いた光拡散タイプ発光ダイオード照明器具の一部切欠き側面図。
【図７】同発光ダイオード照明器具のカバー体を共用部品として用いた光拡散タイプ発光ダイオード照明器具における発光ダイオードからの光がカバー体によって拡散される態様を示す図。
【図８】本発明の第２の実施形態に係る発光ダイオード照明器具の一部切欠き側面図。
【符号の説明】
【００２９】
１  発光ダイオード照明器具
５  基板
６  発光ダイオード
７  カバー体
７ｂ  下面（発光ダイオードに対向する面）
７ｃ  粗面
７ｄ  光透過層
７ｅ  平滑面
７ｇ  光透過層
１０  発光ダイオード照明器具
７０  カバー体
７０ｃ  粗面
【図１】
2009129785.tif 000003
【図２】
2009129785.tif 000004
【図３】
2009129785.tif 000005
【図４】
2009129785.tif 000006
【図５】
2009129785.tif 000007
【図６】
2009129785.tif 000008
【図７】
2009129785.tif 000009
【図８】
2009129785.tif 000010